【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
遊技盤に形成された遊技領域に向かって打球発射装置から打ち込まれた遊技球が前記遊技領域に設けた始動入賞口に入球したことに基づいて前記遊技領域に設けた液晶表示器の表示制御を行うパチンコ遊技機であって、
遊技の進行を制御し、かつ、該遊技の進行に基づいて遊技演出コマンドを作成して出力する主制御マイクロプロセッサが実装された主制御基板と、
該主制御基板からの遊技演出コマンドを受信し、かつ、該受信した遊技演出コマンドに基づいて演出コマンドを作成して出力するサブ統合マイクロプロセッサが実装されたサブ統合基板と、
該サブ統合基板からの演出コマンドを受信し、かつ、該受信した演出コマンドに基づいて前記液晶表示器の表示制御を行う液晶制御マイクロプロセッサ、前記液晶表示器に表示する画像データを予め記憶する画像ＲＯＭ及び該画像ＲＯＭに予め記憶する画像データが転送される画像ＲＡＭが実装された液晶制御基板と、
を備え、
前記主制御マイクロプロセッサは、少なくとも、
電源投入時又は復電時に、当該主制御マイクロプロセッサに書き込まれているプログラムが正規なものであるか否かの判定を、予め定めたセキュリティチェック時間内に行うセキュリティチェック制御手段と、
該セキュリティチェック制御手段で当該主制御マイクロプロセッサに書き込まれているプログラムが正規なものであると判定したときのみ、当該主制御マイクロプロセッサのシステムを起動開始する主制御側電源投入時制御手段と、
該主制御側電源投入時制御手段で当該主制御マイクロプロセッサの割り込み許可を設定した後、主制御定期割り込みタイマが発生するごとに、遊技の進行を行う主制御側定期タイマ割り込み制御手段と、
を備え、
前記主制御側電源投入時制御手段は、少なくとも、
前記主制御基板に供給される電力が安定する、予め定めた電力安定時間が経過するまで待つウェイトタイマ制御手段と、
を含み、
前記主制御側定期割り込み制御手段は、少なくとも、
前記始動入賞口に遊技球が入球したか否かを検出するスイッチ入力制御手段と、
該スイッチ入力制御手段で前記始動入賞口に遊技球が入球したことに基づいて当落の判定を行い、かつ、該判定結果に基づいて遊技演出コマンドを作成する遊技制御手段と、
該遊技制御手段で作成した遊技演出コマンドを前記サブ統合基板に送信する遊技演出コマンド送信制御手段と、
を含み、
前記サブ統合マイクロプロセッサは、少なくとも、
電源投入時又は復電時に、当該サブ統合マイクロプロセッサのシステムを起動開始するサブ統合側電源投入時制御手段と、
該サブ統合側電源投入時制御手段で当該サブ統合マイクロプロセッサの割り込み許可を設定した後、サブ統合側定期割り込みタイマが発生するごとに、演出の進行を行うサブ側定期タイマ割り込み制御手段と、
を備え、
前記サブ統合側電源投入時制御手段は、少なくとも、
当該サブ統合マイクロプロセッサの初期化を、前記セキュリティチェック時間及び前記電力安定時間を加算した時間内に完了する初期化制御手段と、
該初期制御手段で当該サブ統合マイクロプロセッサの初期化を完了し、かつ、前記サブ統合側定期割り込みタイマの所定数倍の時間が経過するごとに、前記液晶制御基板が正常動作している旨を伝える正常動作信号をサンプリングして作成した履歴情報が予め定めた判定値と一致しているか否かの判定を行う液晶正常動作判定制御手段と、
前記初期制御手段で当該サブ統合マイクロプロセッサの初期化を完了し、かつ、前記サブ統合側定期割り込みタイマの所定数倍の時間が経過するごとに、前記主制御基板からの遊技演出コマンドに基づいて演出コマンドを作成する演出制御手段と、
を含み、
前記サブ統合側定期タイマ割り込み手段は、少なくとも、
前記液晶制御基板が正常動作している旨を伝える正常動作信号をサンプリングして履歴情報を作成する履歴情報作成制御手段と、
該履歴情報作成制御手段で作成した履歴情報が前記液晶正常動作判定制御手段で前記予め定めた判定値と一致しているか否かを判定し、該判定結果が前記予め定めた判定値と一致しているときのみ前記演出制御手段で作成した演出コマンドを前記液晶制御基板に送信する演出コマンド送信制御手段と、
を含み、
前記液晶制御マイクロプロセッサは、少なくとも、
電源投入時又は復電時に、当該液晶制御マイクロプロセッサのシステムを起動開始する液晶制御側電源投入時制御手段
を備え、
前記液晶制御側電源投入時制御手段は、少なくとも、
前記画像ＲＯＭに予め記憶されている画像データを前記画像ＲＡＭに転送し、前記画像ＲＯＭに予め記憶されている画像データを前記画像ＲＡＭにコピーする画像データ複製制御手段と、
該画像データ複製制御手段で前記画像ＲＯＭに予め記憶されている画像データを前記画像ＲＡＭにコピーした後、前記正常動作信号を前記サブ統合制御基板に出力する正常動作信号出力制御手段と、
を含むことを特徴とするパチンコ遊技機。
【手続補正２】
【補正対象書類名】明細書
【補正対象項目名】０００９
【補正方法】変更
【補正の内容】
【０００９】
（解決手段１）
遊技盤に形成された遊技領域に向かって打球発射装置から打ち込まれた遊技球が前記遊技領域に設けた始動入賞口に入球したことに基づいて前記遊技領域に設けた液晶表示器の表示制御を行うパチンコ遊技機であって、遊技の進行を制御し、かつ、該遊技の進行に基づいて遊技演出コマンドを作成して出力する主制御マイクロプロセッサが実装された主制御基板と、該主制御基板からの遊技演出コマンドを受信し、かつ、該受信した遊技演出コマンドに基づいて演出コマンドを作成して出力するサブ統合マイクロプロセッサが実装されたサブ統合基板と、該サブ統合基板からの演出コマンドを受信し、かつ、該受信した演出コマンドに基づいて前記液晶表示器の表示制御を行う液晶制御マイクロプロセッサ、前記液晶表示器に表示する画像データを予め記憶する画像ＲＯＭ及び該画像ＲＯＭに予め記憶する画像データが転送される画像ＲＡＭが実装された液晶制御基板と、を備え、前記主制御マイクロプロセッサは、少なくとも、電源投入時又は復電時に、当該主制御マイクロプロセッサに書き込まれているプログラムが正規なものであるか否かの判定を、予め定めたセキュリティチェック時間内に行うセキュリティチェック制御手段と、該セキュリティチェック制御手段で当該主制御マイクロプロセッサに書き込まれているプログラムが正規なものであると判定したときのみ、当該主制御マイクロプロセッサのシステムを起動開始する主制御側電源投入時制御手段と、該主制御側電源投入時制御手段で当該主制御マイクロプロセッサの割り込み許可を設定した後、主制御定期割り込みタイマが発生するごとに、遊技の進行を行う主制御側定期タイマ割り込み制御手段と、を備え、前記主制御側電源投入時制御手段は、少なくとも、前記主制御基板に供給される電力が安定する、予め定めた電力安定時間が経過するまで待つウェイトタイマ制御手段と、を含み、前記主制御側定期割り込み制御手段は、少なくとも、前記始動入賞口に遊技球が入球したか否かを検出するスイッチ入力制御手段と、該スイッチ入力制御手段で前記始動入賞口に遊技球が入球したことに基づいて当落の判定を行い、かつ、該判定結果に基づいて遊技演出コマンドを作成する遊技制御手段と、該遊技制御手段で作成した遊技演出コマンドを前記サブ統合基板に送信する遊技演出コマンド送信制御手段と、を含み、前記サブ統合マイクロプロセッサは、少なくとも、電源投入時又は復電時に、当該サブ統合マイクロプロセッサのシステムを起動開始するサブ統合側電源投入時制御手段と、該サブ統合側電源投入時制御手段で当該サブ統合マイクロプロセッサの割り込み許可を設定した後、サブ統合側定期割り込みタイマが発生するごとに、演出の進行を行うサブ側定期タイマ割り込み制御手段と、を備え、前記サブ統合側電源投入時制御手段は、少なくとも、当該サブ統合マイクロプロセッサの初期化を、前記セキュリティチェック時間及び前記電力安定時間を加算した時間内に完了する初期化制御手段と、該初期制御手段で当該サブ統合マイクロプロセッサの初期化を完了し、かつ、前記サブ統合側定期割り込みタイマの所定数倍の時間が経過するごとに、前記液晶制御基板が正常動作している旨を伝える正常動作信号をサンプリングして作成した履歴情報が予め定めた判定値と一致しているか否かの判定を行う液晶正常動作判定制御手段と、前記初期制御手段で当該サブ統合マイクロプロセッサの初期化を完了し、かつ、前記サブ統合側定期割り込みタイマの所定数倍の時間が経過するごとに、前記主制御基板からの遊技演出コマンドに基づいて演出コマンドを作成する演出制御手段と、を含み、前記サブ統合側定期タイマ割り込み手段は、少なくとも、前記液晶制御基板が正常動作している旨を伝える正常動作信号をサンプリングして履歴情報を作成する履歴情報作成制御手段と、該履歴情報作成制御手段で作成した履歴情報が前記液晶正常動作判定制御手段で前記予め定めた判定値と一致しているか否かを判定し、該判定結果が前記予め定めた判定値と一致しているときのみ前記演出制御手段で作成した演出コマンドを前記液晶制御基板に送信する演出コマンド送信制御手段と、を含み、前記液晶制御マイクロプロセッサは、少なくとも、電源投入時又は復電時に、当該液晶制御マイクロプロセッサのシステムを起動開始する液晶制御側電源投入時制御手段を備え、前記液晶制御側電源投入時制御手段は、少なくとも、前記画像ＲＯＭに予め記憶されている画像データを前記画像ＲＡＭに転送し、前記画像ＲＯＭに予め記憶されている画像データを前記画像ＲＡＭにコピーする画像データ複製制御手段と、該画像データ複製制御手段で前記画像ＲＯＭに予め記憶されている画像データを前記画像ＲＡＭにコピーした後、前記正常動作信号を前記サブ統合制御基板に出力する正常動作信号出力制御手段と、を含むことを特徴とするパチンコ遊技機。
【手続補正３】
【補正対象書類名】明細書
【補正対象項目名】００１１
【補正方法】変更
【補正の内容】
【００１１】
パチンコ遊技機は、主制御基板、サブ統合基板、液晶制御基板を備えている。主制御基板は、遊技の進行を制御しており、この遊技の進行に基づいて遊技演出コマンドを作成して出力する主制御マイクロプロセッサが実装されている。サブ統合基板は、主制御基板からの遊技演出コマンドを受信しており、この受信した遊技演出コマンドに基づいて演出コマンドを作成して出力するサブ統合マイクロプロセッサが実装されている。液晶制御基板は、サブ統合基板からの演出コマンドを受信しており、この受信した演出コマンドに基づいて液晶表示器の表示制御を行う液晶制御マイクロプロセッサ、液晶表示器に表示する画像データを予め記憶する画像ＲＯＭ及びこの画像ＲＯＭに予め記憶する画像データが転送される画像ＲＡＭが実装されている。
【手続補正４】
【補正対象書類名】明細書
【補正対象項目名】００１２
【補正方法】変更
【補正の内容】
【００１２】
主制御マイクロプロセッサは、少なくとも、セキュリティチェック制御手段、主制御側電源投入時制御手段、主制御側定期タイマ割り込み制御手段を備えている。セキュリティチェック制御手段は、電源投入時又は復電時に、主制御マイクロプロセッサに書き込まれているプログラムが正規なものであるか否かの判定を、予め定めたセキュリティチェック時間内に行っている。主制御側電源投入時制御手段は、セキュリティチェック制御手段で主制御マイクロプロセッサに書き込まれているプログラムが正規なものであると判定したときのみ、主制御マイクロプロセッサのシステムを起動開始している。主制御側定期タイマ割り込み制御手段は、主制御側電源投入時制御手段で主制御マイクロプロセッサの割り込み許可を設定した後、主制御定期割り込みタイマが発生するごとに、遊技の進行を行っている。なお、「復電」とは、例えば停電又は瞬停（突発的に電力の供給が一時停止する現象）からその後に電力が復旧することである。
【手続補正５】
【補正対象書類名】明細書
【補正対象項目名】００１４
【補正方法】変更
【補正の内容】
【００１４】
主制御側定期割り込み制御手段は、少なくとも、スイッチ入力制御手段、遊技制御手段、遊技演出コマンド送信制御手段を含んでいる。スイッチ入力制御手段は、始動入賞口に遊技球が入球したか否かを検出している。遊技制御手段は、スイッチ入力制御手段で始動入賞口に遊技球が入球したことに基づいて大当りであるか否かの当落の判定を行っており、この判定結果に基づいて遊技演出コマンドを作成している。遊技演出コマンド送信制御手段は、遊技制御手段で作成した遊技演出コマンドをサブ統合基板に送信している。
【手続補正６】
【補正対象書類名】明細書
【補正対象項目名】００１５
【補正方法】変更
【補正の内容】
【００１５】
サブ統合マイクロプロセッサは、少なくとも、サブ統合側電源投入時制御手段、サブ側定期タイマ割り込み制御手段を備えている。サブ統合側電源投入時制御手段は、電源投入時又は復電時に、サブ統合マイクロプロセッサのシステムを起動開始している。サブ側定期タイマ割り込み制御手段は、サブ統合側電源投入時制御手段でサブ統合マイクロプロセッサの割り込み許可を設定した後、サブ統合側定期割り込みタイマが発生するごとに、演出の進行を行っている。
【手続補正７】
【補正対象書類名】明細書
【補正対象項目名】００１７
【補正方法】変更
【補正の内容】
【００１７】
サブ統合側定期タイマ割り込み手段は、少なくとも、履歴情報作成制御手段、演出コマンド送信制御手段を含んでいる。履歴情報作成制御手段は、液晶制御基板が正常動作している旨を伝える正常動作信号をサンプリングして履歴情報を作成している。演出コマンド送信制御手段は、履歴情報作成制御手段で作成した履歴情報が液晶正常動作判定制御手段で予め定めた判定値と一致しているか否かを判定し、この判定結果が予め定めた判定値と一致しているときのみ演出制御手段で作成した演出コマンドを液晶制御基板に送信している。